(57)【要約】      （修正有）【課題】排水トラップ本体部と防臭パイプの取付において、取付部が円形状でなくとも確実に取り付けることが出来、更にはメンテナンスの為に簡単に取り外すことができる排排水トラップにおける防臭パイプの取付構造を提供する。【解決手段】上部に排水が流入する排水口１を備えた本体部２と、本体部２内の排水を外部に排水するために本体部２に構成された排出口３と、本体部２内に配置されて椀状に構成されて、内部に排水を貯水するオワン部と、下端がオワン部内に配置されてオワン部と協同して機能する筒状から成る防臭パイプ５と、排水口１に防臭パイプ５を脱着自在に取り付けるための非円形の取付部６と、から成る排水トラップにおける防臭パイプの取付方法において、前記取付部６を、排水口１に稼動する押さえ部材７を構成し、該押さえ部材７を上方から押圧固定する構成とした。【選択図】図７
2012180653.tif 000002
【特許請求の範囲】
【請求項１】
上部に排水が流入する排水口１を備えた本体部２と、
本体部２内の排水を外部に排水するために本体部２に構成された排出口３と、
本体部２内に配置されて椀状に構成されて、内部に排水を貯水するオワン部４と、
下端がオワン部４内に配置されてオワン部４と協同して機能する筒状から成る防臭パイプ５と、
排水口１に防臭パイプ５を脱着自在に取り付けるための非円形の取付部６と、
から成る排水トラップにおける防臭パイプの取付方法において、
前記取付部６を、排水口１に稼動する押さえ部材７を構成し、該押さえ部材７を上方から押圧固定する構成としたことを特徴とする排水トラップにおける防臭パイプの取付構造。
【請求項２】
上部に排水が流入する排水口１を備えた本体部２と、
本体部２内の排水を外部に排水するために本体部２に構成された排出口３と、
本体部２内に配置されて椀状に構成されて、内部に排水を貯水するオワン部４と、
下端がオワン部４内に配置されてオワン部４と協同して機能する筒状から成る防臭パイプ５と、
排水口１に防臭パイプ５を脱着自在に取り付けるための非円形の取付部６と、
から成る排水トラップにおける防臭パイプの取付方法において、
前記取付部６を、防臭パイプ５に稼動する押さえ部材７を構成し、該押さえ部材７を下方から押圧固定する構成としたことを特徴とする排水トラップにおける防臭パイプの取付構造。
【請求項３】
前記押さえ部材７を弾性爪７ａにより構成し、当該弾性爪７ａの係合によって防臭パイプ５を排水口１に脱着自在に取付固定したことを特徴とする前記請求項１又は請求項２のいずれか一つに記載の排水トラップにおける防臭パイプの取付構造。
【請求項４】
前記押さえ部材７を、軸着して回動するレバー部材７ｂから構成し、当該レバー部材７ｂの係合によって防臭パイプ５を排水口１に脱着自在に取付固定したことを特徴とする前記請求項１又は請求項２のいずれか一つに記載の排水トラップにおける防臭パイプの取付構造。
【請求項５】
前記レバー部材７ｂの回動方向を、上下方向に回動することを特徴とする前記請求項４に記載の排水トラップにおける防臭パイプの取付構造。
【請求項６】
前記レバー部材７ｂの回動方向を、側面方向に回動することを特徴とする前記請求項４に記載の排水トラップにおける防臭パイプの取付構造。
【請求項７】
前記押さえ部材７を、ビス７ｃから構成し、当該ビス７ｃとビス穴７ｄの螺合によって防臭パイプ５を排水口１に脱着自在に取付固定したことを特徴とする前記請求項１又は請求項２のいずれか一つに記載の排水トラップにおける防臭パイプの取付構造。
【請求項８】
上部に排水が流入する排水口１を備えた本体部２と、
本体部２内の排水を外部に排水するために本体部２に構成された排出口３と、
本体部２内に配置されて椀状に構成されて、内部に排水を貯水するオワン部４と、
オワン部４内に配置されてオワン部４と協同して機能する非円形の筒状から成る防臭パイプ５と、
排水口１に防臭パイプ５を脱着自在に取り付けるための非円形の取付部６と、
から成る排水トラップにおける防臭パイプの取付方法において、
前記取付部６を、スライド溝７ｅと、当該スライド溝７ｅに合致するスライド凸部７ｆを排水口１及び防臭パイプ５の両者にそれぞれ対応するように構成し、当該スライド溝７ｅとスライド凸部７ｆをスライド係合させることによって、防臭パイプ５を排水口１に脱着自在に取付固定したことを特徴とする排水トラップにおける防臭パイプの取付構造。
【発明の詳細な説明】
【技術分野】
【０００１】
本発明は、浴室や台所、洗面台などに配置される、下水からの臭気や害虫の室内側への逆流を防ぐ内部に封水を備える排水トラップにおける、排水トラップと防臭パイプの取付構造に関するものである。
【背景技術】
【０００２】
従来から、浴室や台所、洗面台などの各種排水機器には、発生する排水を排水するための排水配管に、排水トラップが備えられる。この排水トラップは、内部に封水といわれる排水の一部を常時貯水することによって、下水からの臭気や害虫を室内側へ逆流させないようにするものである。
本従来例では、上記の排水トラップを、図１５に示すように浴室の排水トラップに取付けて成る。
本従来例の排水トラップは、浴室の洗い場排水口に構成されており、図１３及び図１４に示すように、排水口と、本体部と、排出口と、オワン部と、防臭パイプと、取付部と、から構成されて成る。
排水口は、浴室の洗い場から発生した排水を、本体内部内に流入させるための開口であり、後記の本体部上方に開口して構成される、円状の穴である。
本体部は、箱体であって、上方に排水口を開口し、本従来例では側面に後記する排出口を開口して構成する。また、その内部には、後記するオワン部、防臭パイプを備えて、常時内部に封水を備える構成となっている。
排出口は、本体部側面に延出して構成される開口であって、本体部内部の排水を本体部外へと排水するための開口である。尚、本従来例では、当該排出口は下水管へと繋がる排水配管が接続されているため、本体部内の排水は排出口を介して下水管へと排水されることとなる。
オワン部は、本体部内部に構成される、椀状の部材であって、排水口の直下部分に配置され、排水口から流入する排水をオワン部内に貯水することができる構成となっている。
防臭パイプは、円筒状であって、前記排水口に脱着自在に取り付けられる部材であって、その下端はオワン部内に配置され、オワン部と該防臭パイプが協同することによって、封水部を形成することができる。
取付部は、前記排水口の縁部内周面に構成された係合凸部と、防臭パイプ上端側面に形成された係合凸部に係合する係合溝と、から成る。防臭パイプを回転させることで、防臭パイプの係合溝に、排水口の係合凸部が係合し、回転ロックすることができる。
【０００３】
上記の排水トラップは以下のように取り付けられ、また排水トラップと防臭パイプは以下のように取り付けられる。
排水トラップの本体部は、浴室の洗い場の排水口に取り付けられるが、具体的には洗い場パンの裏面から洗い場の排水口にロックナットや水密パッキンを介して洗い場の防水パンを挟持して取付固定される。そして、排水トラップの本体部排出口に排水配管を接続し、排水トラップを浴室の洗い場排水口に取り付けることが完了する。その後、浴室側から防臭パイプを排水口から挿入し、その下端をオワン部内に配置する。そして、防臭パイプの係合溝を排水口の係合凸部に合致すようにセットし、そのまま防臭パイプを軸中心に回転させると、係合凸部が係合溝に回転ロックして係合することができる。その後、排水口に目皿をセットすることによって取付が完了する。
また、防臭パイプは排水口に脱着自在に構成されるが、脱着方法としては、防臭パイプを取付時とは回転方向を逆回転することによって係合溝と係合凸部の回転ロックが解除され、排水口から簡単に防臭パイプを取り外すことができる。
【０００４】
上記の排水トラップの排水の流れは、排水が洗い場上で発生すると、排水口を介して排水トラップ本体部内に流入する。排水トラップ内に流入した排水は防臭パイプを介してオワン部内に流入し、オワン部内に貯水して溢れた水が、最終的には排出口から本体部外へと排出される流れとなる。
このように、オワン部内に貯水された排水に、防臭パイプ下端が配置されることで封水部を構成し、当該封水部が形成されることによってトラップ機能を有する。そして、当該トラップ機能により、下水管からの異臭や害虫が室内側へ逆流しない機能を果たす。
【０００５】
しかし、上記のような従来例の技術であると、取付部の構造を回転ロック構造としているため、取付部を円形状とせねばならない欠点があった。このため、排水口の形状や、排水トラップ本体部の形状に設計上の制限があった。
また、最近、浴室構造の意匠性向上などの多様化から、円形状以外の排水口構造が採用されることが多くなり、非円形の排水口構造やネジ螺合を採用した取付部の構造を求められることが多々あった。
【先行技術文献】
【特許文献】
【０００６】
実開昭６３−３１１８２号公報 
【発明の概要】
【発明が解決しようとする課題】
【０００７】
本願は、排水トラップ本体部と防臭パイプの取付において、取付部が円形状でなくとも確実に取り付けることが出来、更にはメンテナンスの為に簡単に取り外すことができる排排水トラップにおける防臭パイプの取付構造を提供する。
【課題を解決するための手段】
【０００８】
本発明の請求項１に記載の本発明は、上部に排水が流入する排水口１を備えた本体部２と、本体部２内の排水を外部に排水するために本体部２に構成された排出口３と、本体部２内に配置されて椀状に構成されて、内部に排水を貯水するオワン部４と、下端がオワン部４内に配置されてオワン部４と協同して機能する筒状から成る防臭パイプ５と、排水口１に防臭パイプ５を脱着自在に取り付けるための非円形の取付部６と、から成る排水トラップにおける防臭パイプの取付方法において、前記取付部６を、排水口１に稼動する押さえ部材７を構成し、該押さえ部材７を上方から押圧固定する構成としたことを特徴とする排水トラップにおける防臭パイプの取付構造である。
【０００９】
本発明の請求項２に記載の本発明は、上部に排水が流入する排水口１を備えた本体部２と、本体部２内の排水を外部に排水するために本体部２に構成された排出口３と、本体部２内に配置されて椀状に構成されて、内部に排水を貯水するオワン部４と、下端がオワン部４内に配置されてオワン部４と協同して機能する筒状から成る防臭パイプ５と、排水口１に防臭パイプ５を脱着自在に取り付けるための非円形の取付部６と、から成る排水トラップにおける防臭パイプの取付方法において、前記取付部６を、防臭パイプ５に稼動する押さえ部材７を構成し、該押さえ部材７を下方から押圧固定する構成としたことを特徴とする排水トラップにおける防臭パイプの取付構造である。
【００１０】
本発明の請求項３に記載の本発明は、前記押さえ部材７を弾性爪７ａにより構成し、当該弾性爪７ａの係合によって防臭パイプ５を排水口１に脱着自在に取付固定したことを特徴とする前記段落０００８又は段落０００９のいずれか一つに記載の排水トラップにおける防臭パイプの取付構造である。
【００１１】
本発明の請求項４に記載の本発明は、前記押さえ部材７を、軸着して回動するレバー部材７ｂから構成し、当該レバー部材７ｂの係合によって防臭パイプ５を排水口１に脱着自在に取付固定したことを特徴とする前記段落０００８又は段落０００９のいずれか一つに記載の排水トラップにおける防臭パイプの取付構造である。
【００１２】
本発明の請求項５に記載の本発明は、前記レバー部材７ｂの回動方向を、上下方向に回動することを特徴とする前記段落００１１に記載の排水トラップにおける防臭パイプの取付構造である。
【００１３】
本発明の請求項６に記載の本発明は、前記レバー部材７ｂの回動方向を、側面方向に回動することを特徴とする前記段落００１１に記載の排水トラップにおける防臭パイプの取付構造である。
【００１４】
本発明の請求項７に記載の本発明は、前記押さえ部材７を、ビス７ｃから構成し、当該ビス７ｃとビス穴７ｄの螺合によって防臭パイプ５を排水口１に脱着自在に取付固定したことを特徴とする前記段落０００８又は段落０００９のいずれか一つに記載の排水トラップにおける防臭パイプの取付構造である。
【００１５】
本発明の請求項８に記載の本発明は、上部に排水が流入する排水口１を備えた本体部２と、本体部２内の排水を外部に排水するために本体部２に構成された排出口３と、本体部２内に配置されて椀状に構成されて、内部に排水を貯水するオワン部４と、オワン部４内に配置されてオワン部４と協同して機能する非円形の筒状から成る防臭パイプ５と、排水口１に防臭パイプ５を脱着自在に取り付けるための非円形の取付部６と、から成る排水トラップにおける防臭パイプの取付方法において、前記取付部６を、スライド溝７ｅと、当該スライド溝７ｅに合致するスライド凸部７ｆを排水口１及び防臭パイプ５の両者にそれぞれ対応するように構成し、当該スライド溝７ｅとスライド凸部７ｆをスライド係合させることによって、防臭パイプ５を排水口１に脱着自在に取付固定したことを特徴とする排水トラップにおける防臭パイプの取付構造である。
【発明の効果】
【００１６】
本発明の請求項１に記載の排水トラップにおける防臭パイプの取付構造は、取付部６を、排水口１に稼動する押さえ部材７を構成し、該押さえ部材７を上方から押圧固定する構成としたことから、防臭パイプ５と排水口１の取付部６分である取付部６の構造が非円形の場合においても、簡単かつ手軽に脱着自在に取り付けることが可能となった。
本発明の請求項２に記載の排水トラップにおける防臭パイプの取付構造は、取付部６を、防臭パイプ５に稼動する押さえ部材７を構成し、該押さえ部材７を下方から押圧固定する構成としたことから、防臭パイプ５と排水口１の取付部分である取付部６の構造が非円形の場合においても、簡単かつ手軽に脱着自在に取り付けることが可能となった。
本発明の請求項３に記載の排水トラップにおける防臭パイプの取付構造は、当該弾性爪７ａの係合によって防臭パイプ５を排水口１に脱着自在に取付固定したことから、作業者の弾性爪７ａの押動操作のみで簡単に防臭パイプ５を脱着できるようになった。
請求項４に記載の排水トラップにおける防臭パイプの取付構造は、軸着して回動するレバー部材７ｂから構成し、当該レバー部材７ｂの係合によって防臭パイプ５を排水口１に脱着自在に取付固定したことから、レバー部材７ｂの回動押圧によって防臭パイプ５を簡単に排水口１に脱着取付することができるようになった。
請求項５及び請求項６に記載の排水トラップにおける防臭パイプの取付構造は、レバー部材７ｂの回動方向を、上下方向や側面方向に回動することができるようになったので、排水口１と洗い場の形状などによって、適宜回転方向を選択することが出来るようになった。
請求項７に記載の排水トラップにおける防臭パイプの取付構造は、当該ビス７ｃとビス穴７ｄの螺合によって防臭パイプ５を排水口１に脱着自在に取付固定したことから、ビス７ｃのネジ螺合によって簡単に脱着可能とすることができるようになった。
請求項８に記載の排水トラップは、取付部６を、スライド溝７ｅと、当該スライド溝７ｅに合致するスライド凸部７ｆを排水口１及び防臭パイプ５の両者にそれぞれ対応するように構成し、当該スライド溝７ｅとスライド凸部７ｆをスライド係合させることによって、防臭パイプ５を排水口１に脱着自在に取付固定したことから、スライド係合によって、より簡単に脱着可能となった。
【図面の簡単な説明】
【００１７】
【図１】第１実施例の取付を示す説明断面図である。
【図２】第１実施例の取付を示す説明断面図である。
【図３】第１実施例の取付を示す説明断面図である。
【図４】第１実施例の取付を示す説明断面図である。
【図５】第２実施例を示す一部断面斜視図である。
【図６】第２実施例の取付を示す斜視図である。
【図７】第２実施例を示す斜視図である。
【図８】第３実施例の取付を示す斜視図である。
【図９】第３実施例の取付を示す一部断面斜視図である。
【図１０】第３実施例を示す、防臭パイプのみ側面図の説明用断面図である。
【図１１】その他の実施例を示す断面図である。
【図１２】その他の実施例を示す斜視図である。
【図１３】従来例を示す断面図である。
【図１４】従来例を示す断面図である。
【図１５】浴室に施工される排水トラップを示す断面図である。
【実施例１】
【００１８】
本実施例では、排水トラップを、図１５に示すように浴室の排水トラップに取付けて成る。
本実施例の排水トラップは、浴室の洗い場排水口に構成されており、図１乃至図４に示すように、排水口と、本体部２と、排出口３と、オワン部４と、防臭パイプ５と、取付部６と、から構成されて成る。
排水口１は、浴室の洗い場から発生した排水を、本体内部内に流入させるための開口であり、後記の本体部２上方に開口して構成される、平面視長方形、すなわち角形の穴である。
本体部２は、長方形の箱体であって、上方に排水口１を開口し、本実施例では側面に後記する排出口３を開口して構成する。また、その内部には、後記するオワン部４、防臭パイプ５を備えて、常時内部に封水を備える構成となっている。
排出口３は、本体部２側面に延出して構成される開口であって、本体部２内部の排水を本体部２外へと排水するための開口である。尚、本実施例では、当該排出口３は下水管へと繋がる排水配管が接続されているため、本体部２内の排水は排出口３を介して下水管へと排水されることとなる。
オワン部４は、本体部２内部に構成される、椀状の部材であって、排水口１の直下部分に配置され、排水口１から流入する排水をオワン部４内に貯水することができる構成となっている。
防臭パイプ５は、長方形の筒状であって、前記排水口１に脱着自在に取り付けられる部材でる。その下端はオワン部４内に配置され、オワン部４と該防臭パイプ５が協同することによって、封水部を形成することができる。
取付部６は、図１乃至図４に示すように、排水口１上面に構成した押さえ部材７としての弾性爪７ａから成る。弾性爪７ａは、本実施例では弾性のあるプラスチックにより排水口１上面に一体的に構成される。当該弾性爪７ａは、取着部分を支点として作業者の押し引き操作により上下方向に稼動し、作業者や使用者が弾性爪７ａを押動した際には、弾性爪７ａが自身の弾性により側面方向にたわみ、当該たわみ空間のスペースを利用して、防臭パイプ５を排水口１に着座させることができ、その後使用者や作業者が弾性爪７ａから手を離すと、弾性爪７ａは自身の弾性により元の位置まで復元し、防臭パイプ５の上面を押圧し、当該弾性爪７ａの押圧により防臭パイプ５を排水口１に取り付けることが出来る。またこのような取付部６としたことで、回転による取付構造を採用しなくてもよくなったため、防臭パイプ５の形状と排水口１、即ち取付部６の形状を円形状以外の形状にすることが可能となった。
また、弾性爪７ａを使用者や作業者が押動させると、弾性爪７ａが側面方向にたわみ、当該撓み空間のスペースができることから防臭パイプ５の押圧が解除されることにより、排水口１から防臭パイプ５を簡単に取り外すことができる。
【００１９】
上記の排水トラップの排水の流れは、排水が洗い場上で発生すると、排水口１を介して排水トラップ本体部２内に流入する。排水トラップ内に流入した排水は防臭パイプ５を介してオワン部４内に流入し、オワン部４内に貯水して溢れた水が、最終的には排出口３から本体部２外へと排出される流れとなる。
このように、オワン部４内に貯水された排水に、防臭パイプ５下端が配置されることで封水部を構成し、当該封水部が形成されることによってトラップ機能を有する。そして、当該トラップ機能により、下水管からの異臭や害虫が室内側へ逆流しない機能を果たす。
【００２０】
上記の排水トラップは以下のように取り付けられ、また排水トラップと防臭パイプ５は以下のように取り付けられる。
排水トラップの本体部２は、浴室の洗い場の排水口１に取り付けられるが、具体的には洗い場パンの裏面から洗い場の排水口１にビスや水密パッキンを介して洗い場の防水パンに取付固定される。そして、排水トラップの本体部２排出口３に排水配管を接続し、排水トラップを浴室の洗い場排水口１に取り付けることが完了する。その後、図１の状態から浴室側から防臭パイプ５を排水口１に挿入するが、弾性爪７ａが備えられているため完全に配置できない状態、具体的には図２に示すように斜め状となるよう防臭パイプ５は配置される。そして、図３に示すように排水口１上面に一体的に構成された弾性爪７ａを使用者又は作業者が押動することによって、弾性爪７ａが自身の弾性により側面方向にたわみ、当該たわみ空間分のスペースによって防臭パイプ５は適正な箇所に着座して配置される。この状態時に、防臭パイプ５下端がオワン部４内に配置され、防臭パイプ５とオワン部４との協同により封水部を形成することができる。その後、図４に示すように使用者又は作業者が弾性爪７ａから手を離すと、弾性爪７ａは自身の弾性により元の位置に復元し、当該復元力により防臭パイプ５上面を押圧することとなり、この状態時において防臭パイプ５は排水口１に取り付くことができる。
また、弾性爪７ａを使用者や作業者が再度押動させると、図３のように弾性爪７ａが側面方向にたわみ、当該撓み空間のスペースができることから防臭パイプ５の押圧が解除され、排水口１から防臭パイプ５を簡単に取り外すことができる。
【実施例２】
【００２１】
また、上記の実施例の他に、以下の排水トラップがある。
この実施例の排水トラップは、図１５に示す浴室に取り付けられ、また取付部６以外の構成が前記段落００１８に記載と同一であるため省略する。
取付部６は、図５乃至図７に示すように、押さえ部材７としてのレバー部材７ｂから構成され、該レバー部材７ｂは排水口１の上面に軸着して構成される。そして、当該軸着は、側面方向に回転するように構成される。また、レバー部材７ｂは、排水口１に複数構成されており、当該実施例では４ヶ構成されている。取付個数に関しては、排水口１と防臭パイプ５の形状に合わせて適宜変更される。
また、該レバー部材７ｂは図６、図７に示すように上面視略三角形状であり、側面方向に回転して図６に示すように排水口１の外側方向に先端が向いている際は防臭パイプ５の固定は解除され、図７に示すようにレバー部材７ｂの先端が排水口１内方に向かっていれば防臭パイプ５がレバー部材７ｂによって押圧して固定される構成となっている。
【００２２】
上記実施例の排水トラップは以下のように取り付けられる。
上記の排水トラップは以下のように取り付けられ、また排水トラップと防臭パイプ５は以下のように取り付けられる。
排水トラップの本体部２は、浴室の洗い場の排水口１に取り付けられるが、具体的には洗い場パンの裏面から洗い場の排水口１にビスや水密パッキンを介して洗い場の防水パンに取付固定される。そして、排水トラップの本体部２排出口３に排水配管を接続し、排水トラップを浴室の洗い場排水口１に取り付けることが完了する。その後、浴室側から防臭パイプ５を排水口１に挿入し、その下端をオワン部４内に配置する。この状態時でのレバー部材７ｂの先端は、図６に示すように、全てが排水口１の外側方向に向かうように配置されている。そして、排水口１に構成されたレバー部材７ｂを図５、図７に示すように使用者又は作業者が排水口１の内側方向へ向けて回転させると、レバー部材７ｂの先端の押圧によって防臭パイプ５の天面を排水口１に固定することができ、よって防臭パイプ５を排水口１に取り付けることが出来る。尚、この時の回転方向は側面方向に回転される。そして排水口１に目皿をセットすることによって取付が完了する。
また、防臭パイプ５は排水口１に脱着自在に構成されるが、脱着方法としては、図６に示すようにレバー部材７ｂを使用者又は作業者が外側かつ側面方向に回転させることによって、レバー部材７ｂと防臭パイプ５の押圧を解除させるので、簡単に防臭パイプ５を取り外すことができる。
また、本実施例の排水トラップの排水の流れは上記段落００１９と同一であるため省略する。
【実施例３】
【００２３】
また、上記の実施例の他に、以下の排水トラップがある。
この実施例の排水トラップは、図１５に示す浴室に取り付けられ、また取付部６以外の構成が前記段落００１８に記載と同一であるため省略する。
取付部６は、図８乃至図１０に示すように、防臭パイプ５の上端側面部に構成されたスライド溝７ｅと、当該スライド溝７ｅに合致するスライド凸部７ｆを排水口１の内周面にそれぞれ複数構成して成り、当該スライド溝７ｅとスライド凸部７ｆをスライド係合させることによって、防臭パイプ５を排水口１に脱着自在に取付固定している。
尚、本実施例では、排水口１と防臭パイプ５をスライド係合して構成しているため、排水口１と防臭パイプ５の間は、両者をスライド係合させる為の距離分の隙間が必要となる。
【００２４】
上記実施例の排水トラップは以下のように取り付けられる。
上記の排水トラップは以下のように取り付けられ、また排水トラップと防臭パイプ５は以下のように取り付けられる。
排水トラップの本体部２は、浴室の洗い場の排水口１に取り付けられるが、具体的には洗い場パンの裏面から洗い場の排水口１にビスや水密パッキンを介して洗い場の防水パンに取付固定される。そして、排水トラップの本体部２排出口３に排水配管を接続し、排水トラップを浴室の洗い場排水口１に取り付けることが完了する。その後、図８、図９に示すように浴室側から防臭パイプ５を排水口１に挿入し、その下端をオワン部４内に配置する。そして、防臭パイプ５のスライド溝７ｅを、図１０に示すように排水口１内側面に構成されたスライド凸部７ｆに合致するようセットし、そのまま使用者又は作業者によって防臭パイプ５をスライドさせることによって、スライド溝７ｅとスライド凸部７ｆが係合することが出来る。よって防臭パイプ５を排水口１に取り付けることが出来る。そして排水口１に目皿をセットすることによって取付が完了する。
また、防臭パイプ５は排水口１に脱着自在に構成されるが、脱着方法としては、防臭パイプ５を取付時と反対方向に向かってスライドさせると、防臭パイプ５のスライド溝７ｅと排水口１のスライド凸部７ｆの係合が解除されるので、簡単に防臭パイプ５を取り外すことができる。
また、本実施例の排水トラップの排水の流れは上記段落００１９と同一であるため省略する。
【００２５】
また、本発明は前記した実施例に限定されるものではなく、例えば図１１に示すように、取付部６のレバー部材７ｂの回転方向を上下方向に軸着してもかまわない。この図を説明すれば、ａ）の図はレバー部材７ｂが防臭パイプ５上面を押圧しているため、防臭パイプ５と排水口１は取り付けられている。また、ｂ）の図はレバー部材７ｂが上動しているため、レバー部材７ｂによる防臭パイプ５の押圧は解除されているため、防臭パイプ５は簡単に取り外すことが出来る。
また、図１２に示したように、取付部６の構造を、防臭パイプ５及び排水口１に構成されたネジ孔及び、それに螺合して両者を接続固定するビス７ｃによって取り付けても構わない。
また、前記実施例では、押さえ部材７を全て排水口１側に構成しているが、適宜防臭パイプ５側に構成しても構わない。
また、前記実施例では防臭パイプ５の筒部分を長方形形状としているが、本発明は取付部６が非円形であればよく、防臭パイプ５の筒部分は円形状でも構わない。
また、取付部６の弾性爪７ａやレバー部材７ｂ、そしてスライド係合手段、ネジ穴とビス７ｃの設置数については上記実施例に限定されるものではなく、適宜数の増減の変更をしても構わない。
【符号の説明】
【００２６】
排水口      １
本体部      ２
排出口      ３
オワン部    ４
防臭パイプ  ５
取付部      ６
押さえ部材  ７
弾性爪      ７ａ
レバー部材  ７ｂ
ビス        ７ｃ
ビス穴      ７ｄ
スライド溝  ７ｅ
スライド凸部  ７ｆ
【図１】
2012180653.tif 000003
【図２】
2012180653.tif 000004
【図３】
2012180653.tif 000005
【図４】
2012180653.tif 000006
【図５】
2012180653.tif 000007
【図６】
2012180653.tif 000008
【図７】
2012180653.tif 000009
【図８】
2012180653.tif 000010
【図９】
2012180653.tif 000011
【図１０】
2012180653.tif 000012
【図１１】
2012180653.tif 000013
【図１２】
2012180653.tif 000014
【図１３】
2012180653.tif 000015
【図１４】
2012180653.tif 000016
【図１５】
2012180653.tif 000017